(57)【要約】【課題】複数キャピラリに対して光を確実に照射でき、迷光ノイズの発生を防いで、小型化とコストダウンを図ることができる光測定装置を提供することを提供する。【解決手段】検体を液体またはゲル内に分散させた測定対象Ｈが、複数の容器又は流路内にあり、各容器又は各流路ごとに光測定をするための光を照射する光測定装置１であって、光源２０と、この光源２０の光を各容器又は各流路の測定点ごとに１本以上の光ファイバ３１を有する光ファイバアレイ３０と、光ファイバ３１ごとに分光するための光ファイバカプラ３２とを備えることで、測定対象Ｈの光測定を行う。  【選択図】図２
2007285999.tif 000002
【特許請求の範囲】
【請求項１】
検体を液体またはゲル内に分散させた測定対象が複数の容器又は流路内にあり、前記各容器又は前記各流路ごとに光測定をするための光を照射する光測定装置であって、
光源と、
前記光源の光を前記各容器又は前記各流路の測定点ごとに１本以上の光ファイバを有する光ファイバアレイと、
前記光ファイバごとに分光するための光ファイバカプラと、
を備えることを特徴とする光測定装置。
【請求項２】
検体を液体またはゲル内に分散させた測定対象が複数の容器又は流路内にあり、前記各容器又は前記各流路ごとに光測定をするための光を照射する光測定装置であって、
光源と、
前記光源の光を、前記各容器又は前記各流路の測定点ごとに照射する回折光学素子と、
を備えることを特徴とする光測定装置。
【請求項３】
検体を液体またはゲル内に分散させた測定対象が複数の容器又は流路内にあり、前記各容器又は前記各流路ごとに光測定をするための光を照射する光測定装置であって、
光源と、
前記光源の光を、前記各容器又は前記各流路の測定点ごとに照射可能な一ヶ所以上の光通過領域を有する光照射領域制限部と、
を備えることを特徴とする光測定装置。
【請求項４】
各前記光通過領域には、集光素子が配置されていることを特徴とする請求項３に記載の光測定装置。
【請求項５】
前記光源は、前記光通過領域を除いて反射材で覆われていることを特徴とする請求項３に記載の光測定装置。
【請求項６】
各前記光通過領域には、光の波長選択フィルタが配置されていることを特徴とする請求項３ないし５のいずれか１つの項に記載の光測定装置。
【請求項７】
各前記光通過領域には、光の減衰フィルタが配置されていることを特徴とする請求項３ないし５のいずれか１つの項に記載の光測定装置。
【請求項８】
前記光源は、発光ダイオードであることを特徴とする請求項２ないし７のいずれか１つの項に記載の光測定装置。
【発明の詳細な説明】
【技術分野】
【０００１】
本発明は、測定対象の吸光や蛍光の光情報を測定をするための光測定装置に関し、特に試薬や生体試料のような検体を、液体またはゲル内に分散させた測定対象を複数のキャピラリ内に通す際に、各キャピラリの測定対象ごとに光測定をするための光を照射する光測定装置に関する。
【背景技術】
【０００２】
生体高分子に関する研究は、臨床検査、創薬や環境・食品検査分野への展開等様々な対象に対して行なれているが、この生体高分子が持つ情報を蛍光を利用して高感度で解析するための装置が、ますます重視されている。
【０００３】
例えば、人ゲノムのような長大な塩基配列を持つＤＮＡの塩基配列の決定をする際には、高感度で高速なＤＮＡ解析装置が必要となる。この種の装置としては、複数本のキャピラリを配列して、各キャピラリには泳動担体であるゲルを充填して通過させる構造のものが提案されている。複数本のキャピラリはライン状に配列されている。大面積の光源から照射光をライン状の照射することで、各キャピラリに対して一括して光を照射したり、レーザ光源の励起光ビームを走査することで、各キャピラリに対して順次照射するようになっている（例えば、特許文献１参照）。
【特許文献１】特開平１０−１９８４６号公報
【発明の開示】
【発明が解決しようとする課題】
【０００４】
このように、複数本のキャピラリに対して光を照射して蛍光情報を多チャンネルで測定する場合に、大面積の光源で一括して光を照射したり、光を走査して照射すると、不必要な領域にまで光を照射してしまうので、この不必要な光が迷光ノイズになってしまい高感度化の妨げになる。また、各キャピラリに対してそれぞれ大型のレーザ光源を配置する構造では、高コスト化と大型化が避けられない。
【０００５】
そこで、本発明は上記課題を解消するために、複数キャピラリに対して光を確実に照射でき、迷光ノイズの発生を防いでの高感度化、及び小型化とコストダウンを図ることができる光測定装置を提供することを提供することを目的とする。
【課題を解決するための手段】
【０００６】
上記課題を解消するために、本発明の光測定装置は、検体を液体またはゲル内に分散させた測定対象が複数の容器又は流路内にあり、前記各容器又は前記各流路ごとに光測定をするための光を照射する光測定装置であって、
光源と、
前記光源の光を前記各容器又は前記各流路の測定点ごとに１本以上の光ファイバを有する光ファイバアレイと、
前記光ファイバごとに分光するための光ファイバカプラと、
を備えることを特徴とする。
【０００７】
また、本発明の光測定装置は、検体を液体またはゲル内に分散させた測定対象が複数の容器又は流路内にあり、前記各容器又は前記各流路ごとに光測定をするための光を照射する光測定装置であって、
光源と、
前記光源の光を、前記各容器又は前記各流路の測定点ごとに照射する回折光学素子と、
を備えることを特徴とする。
さらに、本発明の光測定装置は、検体を液体またはゲル内に分散させた測定対象が複数の容器又は流路内にあり、前記各容器又は前記各流路ごとに光測定をするための光を照射する光測定装置であって、
光源と、
前記光源の光を、前記各容器又は前記各流路の測定点ごとに照射可能な一ヶ所以上の光通過領域を有する光照射領域制限部と、
を備えることを特徴とする。
【０００８】
本発明の光測定装置は、好ましくは各前記光通過領域には、集光素子が配置されていることを特徴とする。
【０００９】
本発明の光測定装置は、好ましくは前記光源は、前記光通過領域を除いて反射材で覆われていることを特徴とする。
【００１０】
本発明の光測定装置は、好ましくは各前記光通過領域には、光の波長選択フィルタが配置されていることを特徴とする。
【００１１】
本発明の光測定装置は、好ましくは各前記光通過領域には、光の減衰フィルタが配置されていることを特徴とする。
【００１２】
本発明の光測定装置は、好ましくは前記光源は、発光ダイオードであることを特徴とする。
【発明の効果】
【００１３】
本発明の光測定装置によれば、複数キャピラリに対して光を確実に照射でき、迷光ノイズの発生を防いで高感度測定を可能とし、加えて、小型化とコストダウンを図ることができる。
【発明を実施するための最良の形態】
【００１４】
以下、図面を参照しながら、本発明の好ましい実施形態を説明する。
【００１５】
（第１実施形態）
図１は、本発明の光測定装置の好ましい第１実施形態を示す斜視図である。図２は、図１に示す光測定装置の構成例を示す図である。
【００１６】
図１に示す光測定装置１は、一例として蛍光式キャピラリ電気泳動分析装置２に適用されている。
【００１７】
まず、電気泳動分析装置２の構成例を説明する。
【００１８】
電気泳動分析装置２は、複数本のキャピラリ（キャピラリチューブあるいは流路を有するチューブともいう）１０と、バッファ槽１１，１２と、電源１３を有している。
【００１９】
複数本のキャピラリ１０は、断面円形状を有していて、配列方向Ｇに沿って一列状（ライン状）に配置されている。各キャピラリ１０の一端部１０Ｂは上部のバッファ槽１１内に配置され、各キャピラリ１０の他端部１０Ｃは下部のバッファ槽１２内に配置されている。なお、図１では、図面の簡単化のために、複数本のキャピラリ１０の一部の図示を省略している。
【００２０】
キャピラリ１０は、例えば一端部１０Ｂから他端部１０Ｃにかけて同じ内径を有するチューブであり、キャピラリ１０の材質は蛍光を減衰しない透明な材質、例えば石英ガラスや透明のプラスチックにより作られている。
【００２１】
図１のバッファ槽１１，１２内には、バッファ液が入れてあり、このバッファ液はキャピラリ１０内の液体またはゲルと接触する。この液体またはゲル内には、検体としての試薬または生体試料が分散されている。この液体またはゲルは、検体としての試薬または生体試料の泳動担体の役目を果たす。
【００２２】
バッファ槽１１，１２のバッファ液間には電源１３からの泳動電圧が印加される。これにより、試薬または生体試料が分散されている液体またはゲルは、バッファ液により各キャピラリ１０の一端部１０Ｂから注入されて、電源１３の泳動電圧により各キャピラリ１０の他端部１０Ｃ側へ、泳動方向Ｔに沿って泳動されるようになっている。泳動方向Ｔは、複数本のキャピラリ１０の配列方向Ｇに対して直交する方向である。
【００２３】
次に、図１と図２に示す光測定装置１を説明する。
【００２４】
図１と図２に示す光測定装置１は、上述した検体を液体またはゲル内に分散させた測定対象を、複数のキャピラリ１０内に泳動により泳動方向Ｔに沿って通す際に、各キャピラリ１０内の測定対象ごとに蛍光測定をするための励起光を照射するための装置である。この測定対象は、図２の示すキャピラリ１０内において符号Ｈで示している。
【００２５】
光測定装置１は、光源の一例である励起レーザ２０と、この励起レーザ２０の励起レーザ光２１を、各キャピラリ１０の測定対象Ｈに対して分光するための光ファイバアレイ３０を有している。
【００２６】
図２では、図面の簡単化のために、光ファイバ３の一部分の図示を簡単化している。図２では、紙面垂直方向が泳動方向Ｔであり、各キャピラリ１０は、その軸方向に対して垂直な面における断面により示している。
【００２７】
この例では、励起レーザ２０は１つ用いており、例えば半導体レーザを使用することができる。光ファイバアレイ３０は、複数本の光ファイバ３１と光ファイバカプラ３２を有している。光ファイバ３１の本数は、キャピラリ１０の本数と同じである。
【００２８】
光ファイバカプラ３２は、励起レーザ２０の励起レーザ光２１を受光して各光ファイバ３１に分光する。各光ファイバ３１は、その先端部３３から、対応する位置のキャピラリ１０内の測定対象Ｈに対して、励起光Ｌを照射することができる。すなわち、光ファイバ１０の励起光Ｌの照射方向は、泳動方向Ｔに対して垂直な方向である。各光ファイバ３が対応するキャピラリ１０に対して確実に位置決めできるようにするために、各光ファイバ３は光ファイバホルダ３５により、等間隔に保持されている。
【００２９】
また、図１に示すように、受光部４０が、光ファイバホルダ３５に対向する位置に配置されており、受光部４０と光ファイバホルダ３５の間には複数本のキャピラリ１０が配置されている。受光部４０は、図２に示す測定対象Ｈを通過した励起光Ｌを受光して、信号の処理部４１に送る。これにより、処理部４１は、各キャピラリ１０内の測定対象Ｈの泳動波形データが得られ、測定対象Ｈに関する必要な蛍光情報の処理を行う。受光部４０は、各キャピラリ１０に対応する位置に例えば受光素子を配列することで構成することができる。
【００３０】
次に、光測定装置１を含む電気泳動分析装置２の動作例を説明する。
【００３１】
図１のバッファ槽１１，１２内には、バッファ液が入れてあり、このバッファ液はキャピラリ１０内の液体またはゲルと接触する。この液体またはゲル内には、検体としての試薬または生体試料が分散されている。この液体またはゲルは、検体としての試薬または生体試料の泳動担体の役目を果たす。試薬または生体試料を含む液体またはゲルは、図２の測定対象Ｈである。測定対象Ｈは、蛍光物質で予め標識されている。
【００３２】
例えば、試薬としてはＤＮＡであり、生体試料としては細胞である。例えば液体としては懸濁液や希釈液である。
【００３３】
図１のバッファ槽１１，１２のバッファ液間には電源１３からの泳動電圧が印加される。これにより、図２の測定対象Ｈは、各キャピラリ１０の一端部１０Ｂから注入されて、電源１３の泳動電圧により各キャピラリ１０の他端部１０Ｃ側へ、泳動方向Ｔに沿って泳動される。
【００３４】
図２の励起用のレーザ２０は、連続光あるいはパルス光として励起レーザ光２１を発生して、この励起レーザ光２１は光ファイバカプラ３２により光ファイバアレイ３０の各光ファイバ３１に分光される。各光ファイバ３１は、その先端部３３から対応する位置のキャピラリ１０内の測定対象Ｈに対して、励起光Ｌを照射することができる。
【００３５】
光ファイバ１０の励起光Ｌの照射方向は、泳動方向Ｔに対して垂直な方向であり、各光ファイバ３が対応するキャピラリ１０に対して、光ファイバホルダ３５により確実に位置決めできることから、光ファイバ１０の励起光Ｌは確実にキャピラリ１０内の測定対象Ｈに対して照射できる。この励起光Ｌの照射の際には、各光ファイバ３１の端面から直接キャピラリ１０に照射しても良いし、集光素子を介して照射しても良い。
【００３６】
照射した励起光Ｌは、測定対象Ｈの蛍光を発生させて、その蛍光情報は図１の受光部４０により受光して、処理部４１で処理することで、測定対象Ｈの蛍光測定を行う。
図１と図２に示す本発明の光測定装置の第１実施形態では、単一のレーザ２０と光ファイバアレイ３０を用いることで、簡単な構成ながら、光がキャピラリ１０以外の部分に漏れることなく、集積された複数のキャピラリ１０に対して、それぞれ独立して光を確実に照射することができる。このため、本発明の光測定装置の第１実施形態は、複数キャピラリに対して光を確実に照射でき、迷光ノイズの発生を防いで高感度測定を可能とし、加えて小型化とコストダウンを図ることができる。
【００３７】
本発明の光測定装置は、検体を液体またはゲル内に分散させた測定対象が複数の容器又は流路内にあり、各容器又は各流路ごとに光測定をするための光を照射するが、光源と、この光源の光を各容器又は各流路の測定点ごとに１本以上の光ファイバを有する光ファイバアレイと、光ファイバごとに分光するための光ファイバカプラと、を備えるようにしてもよい。
【００３８】
（第２実施形態）
次に、図３と図４を参照して、本発明の光測定装置の第２実施形態を説明する。
【００３９】
図３は、本発明の光測定装置の好ましい第２実施形態を示す斜視図である。図４は、図３に示す光測定装置の構成例を示す図である。
【００４０】
図３に示す光測定装置１０１は、蛍光式キャピラリ電気泳動分析装置２に適用されているが、この電気泳動分析装置２は、図１の電気泳動分析装置２と同じ構造であるので、その説明を援用する。
【００４１】
図３と図４に示す光測定装置１０１は、図２の光測定装置１の構造とは異なり、光源の一例である複数の発光ダイオード（ＬＥＤ）７０と、回折光学素子（ＤＯＥ）７１およびサポート部材７２を有している。
【００４２】
各発光ダイオード７０は、サポート部材７２により、各キャピラリ１０に対応する位置に配置されている。回折光学素子７１は、各キャピラリ１０と各発光ダイオード７０の間に配置されており、各発光ダイオード７０が発生する励起光Ｌを各キャピラリ１０内に、高効率で集光して照射することができる。各発光ダイオード７０が発生する励起光Ｌは、インコヒーレント光なので、レンズなどの光学素子では高効率な集光が困難である。
各発光ダイオード７０の励起光Ｌは、回折光学素子７１により、それぞれ対応するキャピラリ１０に照射することで、簡単な構成ながら各キャピラリ１０内の測定対象Ｈの蛍光測定が行え、複数本のキャピラリ１０に対して光を確実に照射でき、迷光ノイズの発生を防いで高感度測定を可能とし、加えて、小型化とコストダウンを図ることができる。
【００４３】
本発明の光測定装置は、検体を液体またはゲル内に分散させた測定対象が複数の容器又は流路内にあり、各容器又は各流路ごとに光測定をするための光を照射するが、光源と、光源の光を、各容器又は各流路の測定点ごとに照射する回折光学素子と、を備えるようにしてもよい。
【００４４】
（第３実施形態）
次に、図５を参照して、本発明の光測定装置の第３実施形態を説明する。
【００４５】
図５に示す光測定装置１０１は、図３に示す光測定装置１０１に換えて使用することができ、図３に示す電気泳動分析装置２に適用できる。
【００４６】
図５の光測定装置１０１は、複数の光源８０と、光照射領域制限部９０およびホルダ９１を有している。光源８０は、例えば発光ダイオード（ＬＥＤ）を採用でき、各キャピラリ１０に対応する位置にホルダ９１により保持されている。このホルダ９１は、透明なプラスチックあるいはガラスにより作られている。ホルダ９１の周囲であって、複数の光源８０の後方側と側方には反射材９２が形成されている。
【００４７】
光照射領域制限部９０は、ホルダ９１の面に配置された例えばプレート状の光不透過部材であり、光源８０の励起光Ｌを透過せずに制限する。しかし、光照射領域制限部９０には、複数のピンホール９４が、光源８０とキャピラリ１０の間において、光源８０とキャピラリ１０に対応する位置に形成されている。
【００４８】
これらのピンホール９４は、光源８０の励起光Ｌを通過させるための光通過領域に相当する物理的に形成されている穴である。光源８０の励起光Ｌは、光照射領域制限部９０と反射材９２により外部に出るのを制限されるので、複数キャピラリに対して光を確実に照射でき、迷光ノイズの発生を防いで高感度測定を可能とする。また、光測定装置１０１の小型化とコストダウンを図ることができる。
【００４９】
本発明の光測定装置は、検体を液体またはゲル内に分散させた測定対象が複数の容器又は流路内にあり、前記各容器又は前記各流路ごとに光測定をするための光を照射するが、光源と、この光源の光を、各容器又は各流路の測定点ごとに照射可能な一ヶ所以上の光通過領域を有する光照射領域制限部と、を備えるようにしてもよい。
【００５０】
（第４実施形態）
次に、図６を参照して、本発明の光測定装置の第４実施形態を説明する。
【００５１】
図６に示す光測定装置１０１では、図５に示す光測定装置１０１の構成要素と同じ構成要素には同じ符号を記している。図６に示す光測定装置１０１で異なる点は、ピンホール９４には、波長選択フィルタ１０５が配置されていることである。これにより、光源８０の励起光Ｌは、光の波長選択フィルタ１０５を通過することで、任意の波長の励起光Ｌをキャピラリ１０に照射することができる。各波長選択フィルタ１０５の波長選択領域は同じであっても良く、あるいは互いに異なるようにしても良い。
【００５２】
これらの複数の異なる波長の励起光により、複数キャピラリに対して異なる蛍光の測定が可能となり、高情報化を図る事ができる。
【００５３】
（第５実施形態）
次に、図７を参照して、本発明の光測定装置の第５実施形態を説明する。
【００５４】
図７に示す光測定装置１０１では、図５に示す光測定装置１０１の構成要素と同じ構成要素には同じ符号を記している。図７に示す光測定装置１０１で異なる点は、ピンホール９４には、減衰フィルタ（ＮＤフィルタ）１１０が配置されていることである。これにより、光源８０の励起光Ｌのパワーは、減衰フィルタ１１０を通過することで減衰でき、任意の強度の励起光Ｌをキャピラリ１０に照射することができる。各減衰フィルタ１１０が励起光Ｌを減衰する能力は、同じであっても良く、あるいは必要に応じて互いに変えて配置することも可能である。
【００５５】
これらの複数の異なる強度の照射光により、複数キャピラリに対して異なる条件の光測定が可能となり、高情報化を図る事ができる。
【００５６】
（第６実施形態）
次に、図８を参照して、本発明の光測定装置の第６実施形態を説明する。
【００５７】
図８に示す光測定装置１０１では、図５に示す光測定装置１０１の構成要素と同じ構成要素には同じ符号を記している。図８に示す光測定装置１０１で異なる点は、ピンホール９４には、集光素子１２０が配置されている。この集光素子１２０は、レンズであっても良いし、回折光学素子（ＤＯＥ）であっても良い。これにより、励起光Ｌは集光されてキャピラリ１０に照射することができる。
【００５８】
（第７実施形態）
次に、図９を参照して、本発明の光測定装置の第７実施形態を説明する。
【００５９】
図８に示す光測定装置１０１では、図５に示す光測定装置１０１の構成要素と同じ構成要素には同じ符号を記している。図８に示す光測定装置１０１で異なる点は、１つの光源８０がホルダ９１に保持されており、光源８０は全方向に励起光Ｌを発生することで、励起光Ｌは反射材９２により反射されて、ピンホール９４を通じてキャピラリ１０に照射することができる。光照射領域制限部９０がピンホール９４以外の領域では励起光Ｌを透過しないことは、各実施形態において同じである。
【００６０】
（他の実施形態）
図１０は、他の実施形態を示しており、図４の実施形態に対して、さらに光の遮蔽板１７０が各キャピラリ１０の間に配置されている。これにより、各キャピラリ１０における照射光と測定対象から発する蛍光が、対象となるキャピラリ１０以外へは照射されないようになっている。
【００６１】
図１１の実施形態は、回折光学素子７１Ｒと励起レーザ２０を用いた例であり、励起レーザ２０の光Ｌは、回折光学素子７１Ｒにより、それぞれキャピラリ１０へ照射される。
【００６２】
図１２の実施形態は、図２の実施形態とは異なり、キャピラリ１０の断面形状が矩形になっている。
【００６３】
断面が円形のキャピラリ１０の直径は、例えば０．１ｍｍであり、断面が矩形のキャピラリ１０の一辺の長さは、例えば０．１ｍｍである。ピンホールを有する部材の厚みは、例えば１ｍｍであり、ピンホールなどの光透過領域の直径は、例えば０．１ｍｍである。ピンホールの形成ピッチは、例えば０．３ｍｍであり、キャピラリ１０と基板である例えば図２に示す光ファイバホルダ３５の距離は、好ましくはゼロであり、接触している。
【００６４】
上述したように、本発明の光測定装置の各実施形態は、複数のキャピラリに対して光を確実に照射でき、迷光ノイズの発生を防いで、小型化とコストダウンを図ることができる。特に、光源の励起光Ｌは、複数本の光ファイバを通じて、対応するキャピラリ１０内の測定対象Ｈに対して確実に照射することができる。
【００６５】
また、光源の励起光Ｌは、光照射領域制限部９０と反射材９２により外部に漏れることが無く、光照射領域制限部９０のピンホール９４，集光素子、減衰フィルタ、波長選択フィルタを通じて、対応するキャピラリ１０内の測定対象Ｈに対して確実に照射することができる。
【００６６】
蛍光を用いて測定対象Ｈの光計測する場合に、蛍光を励起するための励起光源が必要であるが、励起光強度と励起光の照射径を適正に確保して、複数本のキャピラリ１０に対して測定対象Ｈを移動させ、測定点の複数化を図ることで、測定対象Ｈの光測定の多チャンネル化を実現している。これにより、各測定点に対応した励起光の高密度照射が行える。
【００６７】
図１３は、他の例を示しており、多ウェルプレートと呼ばれる容器２００の凹部２０１には、測定対象Ｈが収容されており、発光ダイオード２０１の光Ｌが回折光学素子２０２を介して照射されている。この場合、照射光を時間的に変えても、または、容器と照射光の相対位置を変化させて測定しても良い。すなわち、必ずしも多ウェルプレートのウェル全数ごとに、あらかじめ光源を用意しなくとも、たとえば複数の照射光を複数のウェルに照射して、次にこの複数の照射光をさらに次の複数のウェルに照射することで、各測定点ごとの照射が、時間的に分けて行うことが可能である。
【００６８】
図１４の例は、キャピラリ１０における流れ方向である泳動方向Ｔに沿って、複数の光測定ができるように、例えば４つの光源２４０からキャピラリ１０に沿って光Ｌが照射されている。この場合に、光照射流域制限部９０のピンホール９４には、波長選択フィルタや減衰フィルタを配置することができる。キャピラリが複数の場合、各キャピラリに対して同様の構成をしても良い。
【００６９】
図１５（Ａ）では、図１と図３の示す例と同様に、光測定装置１０１の発光部側とは反対の位置に検出部（受光部）４０が配置されている。図１５（Ｂ）では、光測定装置１０１の発光部側とは反対の位置と同じ側に受光部４０が配置されている。さらに図１５（Ｃ）では、光測定装置１０１の発光部側とは反対の位置であって、しかもキャピラリ１０の側方に配置されている。
【００７０】
本発明は、上記実施形態に限定されず、特許請求の範囲を逸脱しない範囲で種々の変形例を採用することができる。
【００７１】
上述した本発明の各実施形態において、測定対象Ｈは、サンプルと呼ぶこともできる。
【００７２】
例えば、図示例では、本発明の光測定装置が、蛍光式キャピラリ電気泳動分析装置２に適用されているが、これに限らず例えばフローサイトメータ（ＦＣＭ）などの他の種類の機器に対して適用することができる。
【００７３】
光照射領域制限部９０の光通過領域は、図示したように物理的な穴であっても、光学的に光を通過させる領域であっても良い。上述した各実施形態は、互いに組み合わせて構成することが可能である。
【００７４】
本発明の光測定装置は、蛍光測定に限らず、吸光度測定にも適用できる。
【００７５】
本発明は、遺伝子、免疫系、タンパク質、アミノ酸、糖類の生体高分子に関する検査、解析、分析が要求される分野、例えば工学分野、食品、農産、水産加工等の農学全般、薬学分野、衛生、保健、免疫、疫病、遺伝等の医学分野、化学もしくは生物学等の理学分野等、あらゆる分野に適用できる。
【図面の簡単な説明】
【００７６】
【図１】本発明の光測定装置の好ましい第１実施形態を示す斜視図である。
【図２】図１の光測定装置の構成例を示す図である。
【図３】本発明の光測定装置の好ましい第２実施形態を示す斜視図である。
【図４】図３の光測定装置の構成例を示す図である。
【図５】本発明の光測定装置の第３実施形態を示す図である。
【図６】本発明の光測定装置の第４実施形態を示す図である。
【図７】本発明の光測定装置の第５実施形態を示す図である。
【図８】本発明の光測定装置の第６実施形態を示す図である。
【図９】本発明の光測定装置の第７実施形態を示す図である。
【図１０】本発明の光測定装置の他の実施形態を示す図である。
【図１１】本発明の光測定装置の他の実施形態を示す図である。
【図１２】本発明の光測定装置の他の実施形態を示す図である。
【図１３】本発明の光測定装置の他の実施形態を示す図である。
【図１４】本発明の光測定装置の他の実施形態を示す図である。
【図１５】本発明の光測定装置の他の実施形態を示す図である。
【符号の説明】
【００７７】
１      光測定装置
２      電気泳動分析装置
１０    キャピラリ
２０    励起用のレーザ
３０    光ファイバアレイ
３１    光ファイバ
３２    光ファイバカプラ
７０    発光ダイオード
７１    回折光学素子
８０    光源
９０    光照射領域制限部
９１    ホルダ
９２    反射材
９４    ピンホール
１０５  波長選択フィルタ
１１０  減衰フィルタ
１２０  集光素子
Ｇ      キャピラリの配列方向
Ｔ      測定対象の泳動方向
Ｈ      測定対象
Ｌ      励起光
【図１】
2007285999.tif 000003
【図２】
2007285999.tif 000004
【図３】
2007285999.tif 000005
【図４】
2007285999.tif 000006
【図５】
2007285999.tif 000007
【図６】
2007285999.tif 000008
【図７】
2007285999.tif 000009
【図８】
2007285999.tif 000010
【図９】
2007285999.tif 000011
【図１０】
2007285999.tif 000012
【図１１】
2007285999.tif 000013
【図１２】
2007285999.tif 000014
【図１３】
2007285999.tif 000015
【図１４】
2007285999.tif 000016
【図１５】
2007285999.tif 000017